(57)【要約】【課題】多角的な障害に対しても継続できる信頼性の高い監視制御を行える。【解決手段】複数の光伝送装置１〜４間を光伝送路１１〜１４によりリング状に接続して形成されたネットワークと、複数の光伝送装置１〜４のうち、所定数の光伝送装置１〜３に監視制御網２０１を介して接続された複数の光伝送装置１〜４を監視制御する監視制御装置１０１を備えている。この監視制御装置１０１は、所定数の光伝送装置１〜３の何れか一つを経由して他の光伝送装置４を監視制御し、かつ当該経由する光伝送装置を選択可能にしている。【選択図】        図１
2004357167.tif 000002
【特許請求の範囲】
【請求項１】
複数の光伝送装置間を光伝送路によりリング状に接続して形成されたネットワークと、前記複数の光伝送装置のうち、所定数の光伝送装置に監視制御網を介して接続された前記複数の光伝送装置を監視制御する監視制御装置とを備え、
前記監視制御装置は、前記所定数の光伝送装置の何れか一つを経由して他の光伝送装置を監視制御し、かつ当該経由する光伝送装置を選択するようにした光リングネットワーク監視制御システム。
【請求項２】
他の光伝送装置は、複数の光伝送装置のうち、監視制御網を介して監視制御装置に接続した所定数の光伝送装置以外の光伝送装置であることを特徴とする請求項１記載の光リングネットワーク監視制御システム。
【請求項３】
監視制御装置は、複数台設置され、それぞれが互いに独立して各光伝送装置の監視制御を行うようにしたことを特徴とする請求項１または請求項２記載の光リングネットワーク監視制御システム。
【請求項４】
光伝送路は、時計回りと反時計回りに監視制御光を伝送する１対の光ファイバで構成されたことを特徴とする請求項１から請求項３のうちのいずれか１項記載の光リングネットワーク監視制御システム。
【請求項５】
光伝送路で接続されることによって光リングネットワークを構成し、かつ光リングネットワークを監視する監視制御装置と監視制御網を介して通信可能な光伝送装置であって、
前記監視制御装置と接続している場合には、監視制御データを前記監視制御装置と送受信すると共に、光伝送路を経由する監視制御光を用いて隣の光伝送装置と監視制御データを送受信し、
監視制御網との接続が途絶えている場合には、光伝送路を経由する監視制御光を用いて隣の光伝送装置を介して監視制御データを送受信する光伝送装置。
【請求項６】
監視制御網に接続され、かつ光伝送路で接続されることによって光リングネットワークを構成する光伝送装置を、前記監視制御網を通じて光伝送装置に関する監視制御データの授受を行うことによって監視制御する監視制御装置であって、
監視制御網に接続された光伝送装置の中から監視制御網を介して通信可能な光伝送装置を選択し、この選択された光伝送装置を通じて通信不可能な光伝送装置の監視データを送受信することによって、前記通信不可能な光伝送装置の監視制御を行う監視制御装置。
【発明の詳細な説明】
【０００１】
【発明の属する技術分野】
この発明は光リングネットワーク上にある複数の光伝送装置の監視制御を行う光リングネットワーク監視制御システム、光伝送装置および監視制御装置に関するものである。
【０００２】
【従来の技術】
従来の光リングネットワーク監視制御システムとしては、監視制御装置と接続する光伝送装置が、２ノードに限定された構成のものがある（例えば、特許文献１参照）。また、監視制御装置を０系と１系に２重化し、これらが常時互いにヘルスチェックを行い、相手方の異常を検出すると正常な監視制御装置が機能を引き継ぐ構成のものがある（例えば、特許文献２参照）。さらに、装置間の監視制御情報の転送が、片方向の光パスおよび光パス監視信号に対して逆方向の光パス監視信号を伝送し、双方向の光パス監視信号の伝送を行う構成のものがある（例えば、特許文献３参照）。
【０００３】
【特許文献１】
特開２０００−２３２４４７号公報（図１）
【特許文献２】
特開平８−２６５３１９号公報（図１）
【特許文献３】
特開２００１−３５８６６５号公報（図１）
【０００４】
【発明が解決しようとする課題】
従来の光リングネットワーク監視制御システムは、以上のように構成されているが、光伝送装置と監視制御装置を接続する監視制御網が２本とも断した場合には、全く監視制御ができない状態になってしまうこと、また光リングネットワーク内の２ノードの選択も位置やノード番号で限定されているため監視制御網の回線設計も限定されてしまい、装置を設置する地理的な制約も重なってコスト面で高くなることなどの問題点があった。また、２重化した２台の監視制御装置（一般にＮＥ−ＯｐＳ：Ｎｅｔｗｏｒｋ  Ｅｌｅｍｅｎｔ−Ｏｐｅｒａｔｉｏｎ  Ｓｙｓｔｅｍと呼ばれている。）間においてヘルスチェックによる相手方の監視結果により機能を引き継ぐ方法についても、機能引継ぎのための状態同期に時間がかかり、速やかに監視制御を継続できないなどの問題点があった。
【０００５】
この発明は、上記のような問題を解決するためになされたもので、多角的な障害に対しても継続できる信頼性の高い監視制御を行える光リングネットワーク監視制御システム、光伝送装置および監視制御装置を得ることを目的とする。
【０００６】
【課題を解決するための手段】
この発明の光リングネットワーク監視制御システムは、複数の光伝送装置間を光伝送路によりリング状に接続して形成されたネットワークと、複数の光伝送装置のうち、所定数の光伝送装置に監視制御網を介して接続された複数の光伝送装置を監視制御する監視制御装置とを備え、監視制御装置は所定数の光伝送装置の何れか一つを経由して他の光伝送装置を監視制御し、かつ当該経由する光伝送装置を選択するようにしたものである。
【０００７】
【発明の実施の形態】
以下、この発明の実施の一形態を説明する。
実施の形態１．
図１はこの発明の実施の形態１による光リングネットワーク監視制御システムを示す構成図である。
図において、光伝送装置（一般にＮＥ：Ｎｅｔｗｏｒｋ  Ｅｌｅｍｅｎｔ  と呼ばれている。）１，２，３，４は、光ファイバからなる光伝送路１１，１２，１３，１４によりリング状に接続され光リングネットワークを構成している。監視制御装置１０１は、監視制御網（一般にＤＣＮ：Ｄａｔａ  Ｃｏｍｍｕｎｉｃａｔｉｏｎ  Ｎｅｔｗｏｒｋと呼ばれている。）２０１経由で光伝送装置１，２，３に接続されている。この例では、光伝送装置４は監視制御網２０１に接続されていない。監視制御装置１０１は、光リングネットワーク上にあるすべての光伝送装置１，２，３，４を監視制御するが、その方法は次のようにして行われる。ここで、監視制御装置１０１がヘルスチェックのために個々の光伝送装置１，２，３，４へアクセスする信号と各光伝送装置１，２，３，４から得られるヘルス情報を便宜上監視制御データと呼ぶことにする。
【０００８】
監視制御装置１０１は、光リングネットワーク上にある光伝送装置１，２，３，４のうち、光伝送装置１，２，３のそれぞれについては監視制御網２０１を介して監視制御を行う。各光伝送装置１，２，３，４は、光伝送路１１，１２，１３，１４を経由して他の光伝送装置との間で自己の監視制御データの送受信を行うようになっている。このことにより、光伝送装置４に対して、監視制御装置１０１は、監視制御網２０１に接続されている光伝送装置１，２，３の任意の１台と光伝送路を経由して監視制御を行う。通進路が正常な場合にはこのようにして監視制御が行われている。
【０００９】
ここで、監視制御装置１０１が監視制御網２０１および光伝送装置１を経由して光伝送装置４の監視制御を実施しているときに、例えば光伝送装置１との通信路が断になるように監視制御網２０１に障害（図１で、破線で示す。）が発生した場合の監視制御について述べる。監視制御装置１０１は、残りの監視制御網２０１に接続された光伝送装置２，３のいずれかの正常なの通信路を経由して、光伝送装置４および光伝送装置１の監視制御を継続する。
【００１０】
次に、上記障害発生時に正常なの通信路の光伝送装置２，３を用いて、監視制御装置１０１が各光伝送装置を監視制御する通信路（迂回路）の選択範囲について述べる。光伝送装置２を経由する監視制御光（監視制御データの光信号）が時計回りの場合には、光伝送路１２，１１を経由して光伝送装置１を、光伝送路１２，１１，１４を経由して光伝送装置４の監視制御のアクセスが可能となる。また、監視制御光が反時計回りの場合には、光伝送路１３，１４を経由して光伝送装置４，１の監視制御アクセスが可能となる。また、ヘルス情報の監視制御光は時計回りまたは反時計回りで光伝送装置２，３のいずれかに伝送され、その監視制御データは監視制御網２０１を経由して監視制御装置１０１に送られる。
【００１１】
また、上記状態に加え、同時に光伝送路１４が切断された場合について述べる。監視制御装置１０１は、光伝送装置１に対しては光伝送装置２および光伝送路１１を経由して監視制御することが可能となる。一方、監視制御装置１０１は、光伝送装置４に対しては光伝送装置３および光伝送路１３を経由して監視制御することが可能となる。
したがって、監視制御装置１０１と各光伝送装置１，２，３を接続する監視制御網２０１の任意の１本と光伝送路１１，１２，１３，１４の任意の組合せにて、監視制御装置１０１と各光伝送装置１，２，３、４の監視制御の通信路（迂回路）を形成することができる。
【００１２】
以上のように、この実施の形態１によれば、複数の光伝送装置１〜４間を光伝送路１１〜１４によりリング状に接続して形成されたネットワークと、複数の光伝送装置の１〜４うち、所定数の光伝送装置１〜３に監視制御網２０１を介して接続された複数の光伝送装置１〜４を監視制御する監視制御装置１０１とを備え、監視制御装置１０１は所定数の光伝送装置１〜３の何れか一つを経由して他の光伝送装置４を監視制御し、かつ当該経由する光伝送装置を選択するようにしたものである。したがって、光伝送装置のいずれかとの通信で監視制御網２０１に断が発生した場合でも、監視制御網、別の光伝送装置および光リングネットワークの組合せによる迂回路を数多く選択できるので、監視制御装置は光伝送装置の監視制御を、不能状態を発生させることなく継続させる効果が得られる。また、監視制御網の構築においても柔軟に対応できる。例えば監視制御網が設置されていない局舎と設置されている局舎が混在した場合など、既存の監視制御網の設置条件に合わせて監視制御網の回線設計が可能であること、新規に監視制御網を敷設しないで済むことにより監視制御網の低コスト化が可能となり、新規に敷設する場合も自由度の高い監視制御網の回線設計が可能となる効果が得られる。
なお、この実施の形態１では、４つの光伝送装置のうち、３つの光伝送装置１〜３が監視制御網２０１を介して監視制御装置１０１に接続しているが、すべての光伝送装置１〜４が監視制御網２０１を介して監視制御装置１０１に接続する構成としてもよいことは言うまでもない。
【００１３】
実施の形態２．
図２はこの発明の実施の形態２による監視制御ネットワークを示す構成図である。図において、図１と同一および相当する部分には同一符号を付す。
ここでは、複数の監視制御装置１０１，１０２が監視制御網２０１を介して各光伝送装置１，２，３，４に接続され、それぞれが互いに独立して実施の形態１と同様な監視制御を行うように構成している。この場合、監視制御装置１０１，１０２のいずれか一方に不具合が起きた場合、正常な方が監視制御を継続して行う。
【００１４】
以上のように、実施の形態２によれば、監視制御装置１０１，１０２が複数台設置され、それぞれが互いに独立して各光伝送装置１，２，３，４の監視制御を行うようにしている。したがって、上記実施の形態１と同様に、監視制御装置１０１，１０２は各光伝送装置１，２，３，４の監視制御を、不能状態を発生させることなく継続できる。また、既存の監視制御網の設置条件に合わせて監視制御網の回線設計が可能であること、新規に監視制御網を敷設しないで済むことにより監視制御網の低コスト化が可能となり、新規に敷設する場合も自由度の高い監視制御網の回線設計が可能となる効果が得られる。
【００１５】
実施の形態３．
図３はこの発明の実施の形態３による光リングネットワーク監視制御システムを示す構成図である。図において、図１と同一および相当する部分には同一符号を付す。
上記実施の形態１では、監視制御装置１０１は監視制御網２０１経由で任意の各光伝送装置１，２，３を経由して各光伝送装置１，２，３，４を監視制御できる構成を示したが、これに加え、この実施の形態３では、各光伝送装置１，２，３，４間の光伝送路１１，１２，１３，１４として、リング上を時計回りと反時計回りで監視制御光を伝送する２系統の光ファイバを使用している。このことにより、一方向の光伝送路で伝送に障害が発生した場合でも正常な他方向の光伝送路での伝送が可能となり、監視制御装置１０１は光伝送装置の監視制御の迂回路を形成でき、監視制御の継続が可能となる。また、監視制御装置１０１は、監視制御網２０１と接続している光伝送装置から時計回り、反時計回りの両方の監視制御光を使って光伝送装置の監視制御の通信路（迂回路）を形成することができる。この光伝送路の構成は、実施の形態２にも同様に適用できるものである。
【００１６】
以上のように、この実施の形態３によれば、光伝送路１１，１２，１３，１４が、時計回りと反時計回りに監視制御光を伝送する１対の光ファイバで構成されている。したがって、上記各実施の形態と同様に、光伝送路１１，１２，１３，１４のいずれかが断となっても、正常な方向で光伝送路を用いて監視制御光の伝送を可能とし、監視制御装置１０１，１０２が各光伝送装置１，２，３，４の監視制御を、不能状態を発生させることなく継続できる効果が得られる。
【００１７】
【発明の効果】
以上のように、この発明によれば、複数の光伝送装置間を光伝送路によりリング状に接続して形成されたネットワークと、複数の光伝送装置のうち、所定数の光伝送装置に監視制御網を介して接続された複数の光伝送装置を監視制御する監視制御装置とを備え、監視制御装置は所定数の光伝送装置の何れか一つを経由して他の光伝送装置を監視制御し、かつ当該経由する光伝送装置を選択するように構成したので、監視制御装置は、監視制御網、監視制御光のいずれに障害が発生した場合でも監視制御を継続できる効果がある。特に、監視制御網に断が発生した場合には迂回路を数多く選択できるため、光伝送装置の監視制御を、不能状態を発生させることなく継続して行える効果がある。
【図面の簡単な説明】
【図１】この発明の実施の形態１による監視制御ネットワークを示す構成図である。
【図２】この発明の実施の形態２による監視制御ネットワークを示す構成図である。
【図３】この発明の実施の形態３による光リングネットワーク監視制御システムを示す構成図である。
【符号の説明】
１，２，３，４  光伝送装置、１１，１２，１３，１４  光伝送路、１０１，１０２  監視制御装置、２０１  監視制御網。
【図１】
2004357167.tif 000003
【図２】
2004357167.tif 000004
【図３】
2004357167.tif 000005